(57)【特許請求の範囲】
【請求項１】
室内へ流路を介してつながる空調機を備えた空調装置において、空調機に流路及び流路の切換制御手段を介して並列に空気浄化機を別設し、有人又は無人時に応じて、室、空調機を各々単独又は双方を殺菌・脱臭のために流路を切り換える切換制御手段を備え、前記空気浄化機は殺菌・脱臭手段であるオゾン発生器及び該オゾン発生器からの流路を開閉する部材を設けたオゾン分解触媒装置を備え、更に空気浄化機の出口側の流路の一つは、空調機出口側に設けた送風機の吸込側へ、他の一つは空調機出口側の流路と該空調機外において合流して室内へ向かい、空気浄化機の単独運転時でも、前記流路の切換制御手段により室及び空調機内を同時に殺菌・脱臭できるものとしたことを特徴とする空調装置
【請求項２】
前記空気浄化機の出口側から空調機出口側に設けた送風機の吸込側に向かう流路を設けて、該流路を開閉可能とし、空調機内へ直接オゾン含有空気の為の流路を繋げ又閉鎖できることを特徴とする請求項１記載の空調装置
【請求項３】
前記空調機の出口側の流路へベンチュリー管を設け、空気浄化機の出口側の流路からの流れを吸引するようにしたことを特徴とする請求項１又は２記載の空調装置
【発明の詳細な説明】
【０００１】
【発明の属する技術分野】
本発明は、殺菌・脱臭手段を備えた空調装置及び殺菌・脱臭方法に関する。更に詳細には、病院等の医療施設や食品製造施設における殺菌・脱臭手段を備えた空調装置及び殺菌・脱臭方法に関する。
【０００２】
【従来の技術】
従来、空調機において、殺菌装置及び方法に関しては、次のような様々なものが提案されて来た。
【０００３】
（１）空調機の内部や、病院の病室や食品製造等の殺菌を必要とする室内その他の空間における微生物の殺菌に関しては、オゾンガス、紫外線ランプ、薬剤など種々のものがある。
【０００４】
（２）空調機の内部にオゾン発生器、オゾン分解触媒装置等空気中の殺菌・脱臭手段を備えたもの（例えば、特開平８−１１４３３２号公報参照）がある。
【０００５】
（３）或いは空調機内部にオゾン発生器を設け、殺菌を要する室内が無人なときにオゾンを発生させて、空調機自体と該室内の殺菌・脱臭をするもの（例えば、特開平５−３２２２２０号公報参照）がある。
【０００６】
（４）空調機の内部に、オゾン発生器、オゾン分解触媒装置の外に、銀ゼオライト等の抗菌剤入りのシートフィルタ等を備えるもの（例えば、特開平６−３２３５７１号公報参照）がある。
【０００７】
更には、空調機内部又は内壁、熱交換器、ファン、フィルタ等の表面に、銀ゼオライトなどの抗菌剤入りのシートを貼るか、塗膜を形成したものがある（例えば、特開平７−５５１７６号公報参照）。
【０００８】
（５）空調ダクト内に、紫外線ランプ、集塵電極などを設けて微生物を殺菌するもの（例えば、特開平７−３０３６８８号公報参照）がある。
【０００９】
（６）紫外線ランプの外に、光触媒を設けたもの（例えば、特開平８−１２１８２７号公報参照）がある。
【００１０】
【発明が解決しようとする課題】
上記の従来の空調機で行う殺菌処理では、殺菌が充分でなかった。その為に細菌が繁殖してしまった空気が、例えば、病室内や食品製造室に送られる可能性があった。
【００１１】
前記従来技術では、単に空調機の内部や流路内に殺菌手段を設けたもので、室内や空調機を通一過性の為に、空調機自体でもなかなか完全な殺菌処理が出来なかった。
【００１２】
特に、従来は、空調機の中に滅菌手段を設けた為に、室内や空調機そのものを単独に集中的に殺菌したい場合には、それが出来なかった。
【００１３】
これに対して、例えば、前記（３）の例では、室内が無人のときに、オゾンを発生させて、空調機自体と該室内の殺菌と脱臭をするものが示されているが、循環して殺菌と脱臭ができるものとはいえ、人がいる、即ち有人の場合には、殺菌と脱臭が不可能であったので、その作業時間等は、夜等に著しく制限されていた。
【００１４】
又、空調装置の中に滅菌装置を設けた為に、該滅菌装置を修理や交換するときは、空調装置をいちいち停止させねばならず、手間とコストを要していた。
【００１５】
又、空調装置の内部に滅菌装置を設けた為に、その空間的な限度の為に、空気浄化機の規模や能力が制限されていた。
【００１６】
更に、空調装置の内部に滅菌装置を設ける構造であったので、その滅菌作用を必要に応じて調節することが不可能であった。
【００１７】
既存の滅菌装置のない空調機に滅菌装置を付けたい場合には、内蔵方式であったので、その新たに滅菌装置を取付けることは困難であった。
【００１８】
また、従来使用されてきた紫外線ランプでは、照射部分しか、又は照射の到達範囲内でしか殺菌出来ないために、非照射部分での殺菌が不完全で有ったので、細菌の繁殖が避けられず、滅菌効果が滅殺された。
【００１９】
更に、抗菌剤シートでも、長期間使用すると、抗菌剤を含有した塗膜の表面近くでは、ほこり、油煙などが付着し、微生物との直接的接触、または直近の接近が阻止されると抗菌効果が大幅に低下する。その為に抗菌作用を著しく阻害して、上記の従来の空調機で行う殺菌処理では、殺菌が充分でなかった。その為に細菌が繁殖してしまった空気が、例えば、病室内や食品製造室に送られる可能性があった。
【００２０】
前記従来技術では、単に空調機の内部や流路内に殺菌手段を設けたもので、室内や空調機を通一過性の為に、空調機自体でもなかなか完全な殺菌処理が出来なかった。
【００２１】
特に、従来は、空調機の中に滅菌手段を設けた為に、室内や空調機そのものを単独に集中的に殺菌したい場合には、それが出来なかった。
【００２２】
これに対して、例えば、前記（３）の例では、室内が無人のときに、オゾンを発生させて、空調機自体と該室内の殺菌と脱臭をするものが示されているが、循環して殺菌と脱臭ができるものとはいえ、人がいる、即ち有人の場合には、殺菌と脱臭が不可能であったので、その作業時間等は,夜等に著しく制限されていた。
【００２３】
又、空調装置の中に滅菌装置を設けた為に、該滅菌装置を修理や交換するときは、空調装置を、いちいち停止させねばならず、手間とコストを要していた。
【００２４】
又、空調装置の内部に滅菌装置を設けた為に、その空間的な限度の為に、空気浄化機の規模や能力が制限されていた。
【００２５】
更に、空調装置の内部に滅菌装置を設ける構造であったので、その滅菌作用を必要に応じて調節することが不可能であった。
【００２６】
既存の滅菌装置のない空調機に滅菌装置を付けたい場合には、内蔵方式であったので、その新たに滅菌装置を取付けることは困難であった。
【００２７】
また、従来使用されてきた紫外線ランプでは、照射部分しか、又は照射の到達範囲内でしか殺菌出来ないために、非照射部分での殺菌が不完全で有ったので、細菌の繁殖が避けられず、滅菌効果が滅殺された。
【００２８】
更に、抗菌剤シートでも、長期間使用すると、抗菌剤を含有した塗膜の表面近くでは、ほこり、油煙などが付着し、微生物との直接的接触、または直近の接近が阻止されると抗菌効果が大幅に低下する。その為に抗菌作用を著しく阻害して、細菌等の侵入が避けられない。
【００２９】
本発明は、上記の問題点を改善する室内、空気調和機、それに伴う流路等の空気の殺菌と脱臭の処理を十分に行える装置及び方法を得る事を目的とする。更に詳しくは、有人や無人に応じて、殺菌・脱臭を必要且つ十分に行える装置及び方法を得る事を目的とする。
【００３０】
上記の課題を解決するために本発明の空調装置では、  室内へ流路を介してつながる空調機を備えた空調装置において、空調機に流路及び流路の切換制御手段を介して並列に空気浄化機を別設し、有人又は無人時に応じて、室、空調機を各々単独又は双方を殺菌・脱臭のために流路を切り換える切換制御手段を備え、前記空気浄化機は殺菌・脱臭手段であるオゾン発生器及び該オゾン発生器からの流路を開閉する部材を設けたオゾン分解触媒装置を備え、更に空気浄化機の出口側の流路の一つは、空調機出口側に設けた送風機の吸込側へ、他の一つは空調機出口側の流路と該空調機外において合流して室内へ向かい、空気浄化機の単独運転時でも、前記流路の切換制御手段により室及び空調機内を同時に殺菌・脱臭できるものとした空調装置を提供するものである。
【００３１】
前記オゾン分解触媒装置の流路を開閉する部材は、有人時または無人時に、該オゾン分解触媒装置の作動に対応して、応動するものである。
【００３２】
前記殺菌・脱臭手段として、オゾンガスが使用される。オゾンは、強力な殺菌のみならず脱臭作用もあって採用される。
【００３３】
空調機内に抗菌手段を設け、また空気浄化機内に紫外線ランプ、光触媒を設けることもでき、強力なオゾンガスに加えて、それら相互作用と相まって補完して、更に十分な殺菌・脱臭作用をする。
【００３４】
室が無人の時に、空調機を停止させて、該停止時間内に、空気浄化機からのオゾンガス含有空気を、室及び／または空調機に導き、室及び／または空調機を殺菌・脱臭した後に空気浄化機へ循環する流れの状態を維持し、空調機及び／または室の内部のオゾン濃度を所定の値に且つ所定時間維持し、その後、オゾン含有空気を、空気浄化機内のオゾン分解装置を作動して、経由させ、オゾンを分解・無害化するものである。
【００３５】
室が有人の時に、空調機から一部の空気を空気浄化機へ導き、該空気浄化機からのオゾンガス含有空気を、オゾン分解装置を作動して、経由させ、オゾンを分解・無害化させて、室に送るものである。
【００３６】
【発明の実施の形態】
本発明の実施の形態を実施例に基づき、図面を参照して説明する。図１は本発明の実施例である。
【００３７】
図１は、本発明の１実施例を示す。空調機１、空気浄化機２、病院の室内や食品製造工場など３、外気取入口２７などが示される。
【００３８】
従来と同じく、外気取入口２７からは、フィルタ４、ダクト４５、アクチュエータ付の自動切換弁３０を通り、空調機１へ入る。
【００３９】
図１には、空調機１においては、プレフィルタ５、中性能フィルタ６（又は電気集塵機７）、熱交換器８、加湿器１０、送風機９、断熱材１９、ケーシング３７が示される。
【００４０】
また、ドレンパン１１、水切り用のエリミネータ２０が設けられている。
【００４１】
オゾン濃度センサ３６が、好ましくは、空調機１の前側に設けられる。これは空調機１が殺菌・脱臭の直接の対象となっていない時に（室だけ対象）、検出が早くなるからである。勿論該センサは、他の室等にも設けてよいが、このような場所に設ければ１つで済む。
【００４２】
これら空調機の内部側の表面には、抗菌剤を塗膜などに含有させて保持することもできる。この場合、抗菌剤を塗料などの中に含有させて、焼付塗装、ローラ塗り、吹き付けなどにより施行する。
【００４３】
抗菌剤として、銀、酸化亜鉛、銅などの無機質材を単独で、又は混合して用いる。抗菌剤の作用により、塗膜などの表面上または表面近くの細菌、カビなどの微生物の増殖は抑止され、減少して滅菌することができる。
【００４４】
空調機１の内部には、より十分な殺菌効果を得るために、紫外線ランプ１３を設けることもできる。また、抗菌剤入り塗膜などの替わりに、光励起触媒入りのフィルムとして光触媒２２を空調機１の内壁に設けることもできる。
【００４５】
空気浄化機２の内部には、プレフィルタ５、中性能フィルタ６（又は電気集塵機７）、紫外線ランプ１３、光触媒１４、オゾン発生器１５、オゾン給気口１６、オゾン分解触媒装置１７、ダンパ１８、ファン１２などが設けられる。
なお、紫外線ランプ１３をプレフィルタ５の前に設けることもできる。
またファン１２は、該空気浄化機２の後部に設けた為に吸込式となり、オゾンガスが押し込め式の加圧型に比べて、外部に漏れる事がない。
【００４６】
該ダンパ１８は、図１に示されるように、点線の位置に移動できる。
ダンパ１８の移動は、有人である室３へ循環空気を送っているときに、流路を開放し、オゾン分解触媒装置１７によってオゾンを分解することが必要であるので、該オゾン分解触媒装置１７を通して環流させる為に移動させるものである。
【００４７】
室や空調機への循環空気の切り換えの為に自動切換弁２８、２９、３０がダクトの途中に設けられている。更に、無人有人に応じて効果的な循環を行わせるために、自動切換弁３１、３２と逆止弁３３を設ける（図１、２参照）。
また、殺菌・脱臭作用を調節するために、空気浄化機２へ流入量を制限するする流量制御弁３４が、ダクト４４に設けられる。
更に、空気浄化機２の修理・点検・交換などの為に、締切の弁３５を、該空気浄化機２を取り外す為にその前後に設けてもよい。
【００４８】
自動切換弁３２は、ダクト４６に設けられるが、いわゆる、空調機１の送風機９の吸込側に繋がっているが、空調機１が運転されれば自動的に吸い込まれ特別の吸引装置は要らない。
【００４９】
特に、上記自動切換弁３１，３２と逆止弁３３を設けないで、図３で示されるAぼ部分を、図４で示すように、いわゆるジェットポンプ形式の吸込み構成とすることもできる。
図４の（１）でに示す例として、ベンチュリー管５０を設け、ダクト４１からの噴流によってダクト４０側の流れをノズル４１０から吸い込んでもよい。送風機９から排出された空気は、噴流となりダクト４０側の流れを吸い込む。図４の２に示すように、また、ダクト４１からの噴流によって、ダクト４０側の流れを吸い込んでもよい。
送風機９から排出された空気は、ノズル４１０によって噴射され、ダクト４０側の流れを吸い込む。これら吸引の構成は、各流の圧力・流量によって、当業者によって様々に適宜選択しえるものである。
【００５０】
このように、切換制御手段として、切換弁の使用によるものと又は吸引方式として、例えばジェットポンプ形式との組み合わせによる構成がある。
【００５１】
病原菌の殺菌・脱臭システムの特徴を次に詳細に述べる。空気浄化機２においては、殺菌・脱臭システムの構成要素としては、非処理空気に対して、プレフィルタ５、中性能フィルタ６（又は電気集塵機７）、紫外線ランプ１３、光触媒１４、オゾン発生器１５、オゾン分解触媒装置１７、ファン１２の順番となっている。
【００５２】
又、プレフィルタ５の前に紫外線ランプ１３を前段に設けてもよい。最初、波長を２５４ｍｍの紫外線ランプ１３を設け、これにより照射すると、非処理空気に含有されている空中浮遊菌は、ここで紫外線ランプ１３の熱エネルギーが細菌のＤＮＡを損傷させ、その結果、チミングダイマー形成により自己増殖機能を低下させる。
【００５３】
処理後、非処理空気に含有されている空中浮遊菌については、或特定の波長の紫外線と光触媒との組合せが有効である。
つまり、酸化チタン光触媒系の特徴は、その表面が水と接触したときに、反応が起こることにある。吸着性が有るために、完全にドライでなければ、空気と接触しても反応が起こる。
【００５４】
酸化チタン光触媒に対しては、好ましくは、波長範囲３１５〜４００ｎｍの紫外線が、該光触媒の励起に好適である。波長４００ｎｍ程度の紫外線ランプが、酸化チタンの表面に当たると、３ｖの強い酸化電位が生じ、水が分解されて活性酸素が発生する。これは、塩素、過酸化水素、オゾン等よりも大きな酸化電位であり、殆ど全てのものを分解・酸化できる程のものである。
【００５５】
従って、後段の紫外線ランプ１３を照射すれば、その光により酸化還元電位３Ｖの酸化チタン光触媒１４（アナターゼ型）が活性化され、活性酸素が生成し、細菌の芽胞やベロ毒素を破壊する。
【００５６】
これに対して、前段の、光触媒のない紫外線ランプ１３は、波長が１００〜２８０ｎｍの、通常の殺菌ランプでよいことになる。光触媒に対して、その作用を生じさせる効果は有るが、低いからである。
このように前段で通常の紫外線照射をし、紫外線の波長を変えて光触媒を照射をすれば、滅菌効果を上げることが出来る。
【００５７】
なお、２段の紫外線照射が逆の場合には、活性酸素によって芽胞の表層や内部の一部のＤＮＡが変化してしまい、紫外線照射時に芽胞のＴＤＨＴの生成が抑制されてしまい、完全に殺菌出来ない細菌もあるため滅菌効果が減じるからである。
【００５８】
その後、オゾン発生器１５で生成した酸化還元電位２．８Ｖのオゾンガスで再びＤＮＡの変形した細菌の芽胞を損傷させ、溶菌減少を生じさせ、細菌の生育を停止させる。なお、光触媒の後に、オゾン処理を行うのは、酸化還元電位が、光触媒の方が高い為である。
【００５９】
このようにオゾンガスに加えて、紫外線ランプ１３や光触媒を使用すれば、相互にその長所を持って殺菌作用を補完しあえる。即ち、オゾンガスは、紫外線の到達できない範囲外でも、充満して殺菌でき、また紫外線や光触媒などを使用するとオゾンガスは、細胞の芽胞を容易に損傷させ、更に一層の殺菌効果が得られる。
【００６０】
室内に給気を行う場合は、ダンパ１８を図１の点線の下方へ移動させて、流路を開放して、オゾン分解触媒装置１７でオゾン分解を行い０．１ｐｐｍ以下のオゾン化空気を給気する。オゾン分解触媒装置１７は酸化マンガンで作られており、オゾン分解が低温域においても効率よく行え、また、オゾン分解の際に生ずる活性酸素でも殺菌・脱臭効果を期待させることができる。
【００６１】
オゾン分解触媒装置１７の表面に生ずる水膜・汚れなどによる効果低下を回避するために、加熱ヒータ２１を設けてある。５０度前後に加熱されたヒータの温風により、脱着、再成機能を持たせている。
【００６２】
空調機１において、熱交換器８、フィルタ６、プレフィルタ５、熱交換器８、送風機９、加湿器１０、ドレンパン１１、エリミネータ２０、空調機ケーシング３７などには、常時効果が期待できる抗菌剤を使用することができる。抗菌剤には、安全であり耐熱性の高い無機系抗菌剤が使われている。
【００６３】
無機系抗菌剤は、幅広い抗菌スペクトルを持ち、また耐性菌を生じさせない効力がある。殺菌・脱臭効力を最大限にする方法として、抗菌剤を塗料に混ぜた時に、分散性をよくし、表面上に浮上させることによって抗菌効果を向上させることができる。
【００６４】
抗菌剤に接触した細菌は、金属イオン（例えば銀、亜鉛、銅イオンなど）によりタンパク質が破壊され溶菌現象を起こし死滅する。空調機１では主に落下付着菌を殺菌・脱臭する機能を備えてある。上記の構成により、システマティックに殺菌・脱臭することを可能にする。
【００６５】
空調機１の内部に抗菌剤入りの塗膜などを施せば、空調機１の内部では通常、細菌などの増殖が抑制され、オゾンガスの発生非発生時を問わず、常時滅菌作用を受ける。
【００６６】
このように抗菌剤は、オゾンガスのようにガス発生時だけでなく、常時殺菌作用が期待できて、オゾンガスと併用すれば、一層細菌を絶滅することが可能となり、オゾンガスのみの使用での殺菌時間を短縮出来ると共にコストも軽減できる。
【００６７】
空調機１の内面に、ほこりや油煙などの付着がある場合には、本発明においては、空気浄化機２を併設した結果、その繰り返しの殺菌・脱臭作用の為の連続運転により、空調機１の内部の付着物は除去される。
【００６８】
空調機１には、熱交換器、加湿器などがあり、夏季などにおいては、湿潤な環境の為微生物の繁殖が見られる。しかし、空気浄化機２は、湿気が少なく、且つまたオゾンガスによって殺菌作用が強く、而も常時運転されてその作用を受けるので、抗菌剤を施す必要性は少ない。そこで、空調機１に抗菌剤を施し、且つ空気浄化機２に抗菌剤を施さず、オゾンガス、紫外線と光触媒との組合せは、殺菌・脱臭にとって効果ある配列となる。
以下、条件によって殺菌・脱臭を行う運転の方法を説明する。
【００６９】
殺菌・脱臭を行うに当たっては、有人又は無人時において、概要室や空調機における次のような処理方法がなされる。なお、図１の場合の実施例について、次の各処理方法について、図５を参照して弁の切換を説明する。
（１）無人時の室内の殺菌・脱臭
（２）無人（又は有人）時の空調機の殺菌・脱臭
（３）無人時の室内及び空調機の殺菌・脱臭
（４）有人時の室内への殺菌・脱臭済み循環空気の吸気
【００７０】
（１）無人時の室内の殺菌・脱臭について説明する。
夜間など室内３に人がいない、無人のとき、室内にオゾンを導き、所定の濃度で一定時間維持する。これにより、室内の内部の殺菌を行うことができる。
【００７１】
夜間など、室３の内部に人がいない、いわゆる無人のときには、自動切換弁２８、２９を開にして空気浄化機２からダクト４０、４２、４３を通じてオゾン含有空気を室３の内部に導く。
【００７２】
この場合には、無人であるので、通常は、空調機１は運転が停止されているので、自動切換弁３１は閉じられれば、無駄な循環を止めさせる。
【００７３】
この状態を維持しながら、オゾン濃度センサ３６の濃度が所定の値に達したときにオゾン発生器１５の運転を停止する。空気浄化機２の内部のファン１２の運転を停止する。室３の内部のオゾン濃度を維持した状態で所定の時間が経過したときに室３の内部の殺菌が行われる。
【００７４】
この後に再び、空気浄化機２のファン１２の運転を再開する。ただし、このときには切換ダンパ１８は、図１の破線の位置に移動する。このようにして、室３の内部の空気は循環し、オゾン分解触媒装置１７の作用によりオゾンは分解される。
以下、各実施例で、殺菌・脱臭後のオゾン分解触媒装置の作動は、同様の行われる。
【００７５】
かくして、室３の内部の零囲気中のオゾン濃度は減少し、人の安全許容限界以下に達する。その時点で、空気浄化機２の運転は停止される。そして空調機１の運転再開が可能となる。
【００７６】
（２）無人（有人）時の空調機の殺菌・脱臭について説明する。
【００７７】
空気浄化機２において、空調機１から、ダクト４４を経て空気が流入する。紫外線ランプ１３、光触媒１４、オゾン給気口１６、ファン１２などの領域を経てダクト４０を通じて、送風機９の後方側ダクト４１に導かれる。
【００７８】
自動切換弁２８、２９が閉のときに、この流入空気は、自動切換弁３１は開となり、空調機１の内部に戻される。このとき、空調機１の内部の空気は空気浄化機２の内部を経て循環する。
必要に応じて、自動切換弁３２を開にして、送風機９を除く空調機１の部分を循環させることもできる。
【００７９】
これにより、空調機１、空気浄化機２の内部はオゾン濃度が上昇し、オゾン濃度センサ３６により、所定濃度に達した時点でオゾン発生器１５の運転は停止する。空調機１の内部のオゾン濃度が所定の範囲で一定時間維持することにより、空調機１、空気浄化機２の内部の殺菌が行われる。
【００８０】
有人時においても、空調機の殺菌・脱臭について、これを行うことができるのは、自動切換弁２８、２９を締め切ることで、以後容易に理解される。
（３）無人時の室内及び空調機の殺菌・脱臭
空調機１から、ダクト４４を経て空気が流入する。紫外線ランプ１３、光触媒１４、オゾン給気口１６、ファン１２などの領域を経て、ダクト４０に導かれる。
この場合に、空調機１は、停止されているので、自動切換弁２８、３１を開とすれば、空調機１及び室３へ流入して殺菌・脱臭作用を行う。
【００８１】
又、自動切換弁３２を開として、ダクト４６からオゾン含有空気を空調機１へ流入させることもできる。自動切換弁３１共に双方を開としても良いし、片方でもでき、必要に応じて行える。
【００８２】
（４）有人時の室内への殺菌・脱臭済み循環空気の給気について説明する。
また、人が常時いる室３にいる場合にも、その空気の一部を空気浄化機２に導き、前述のオゾン発生器１５、オゾン分解触媒装置１７の作用により、殺菌作用及び脱臭作用を行うことができる。
【００８３】
この場合には、自動切換弁３１を開にして、空調機１からの流れを室３に向かわせる。
空気浄化機２からの殺菌・脱臭済みの空気は、送風機９の吐出圧力が空気浄化機２の圧力より大きい場合には、自動切換弁３２を開にして、そこより送風機９の吸入側に接続するダクト４６を通して自動的に、空調機１へ流入する。
ダクト４１からの流れは、ダクト４０には、逆止弁３３のために阻止される。
【００８４】
空調機を通常運転しているときに、空気浄化機２の切換ダンパ１８の位置を破線側に移動しておき、オゾン分解触媒装置１７を作動させ、空気浄化機２を運転すると、空気浄化機２を通過する空気は殺菌作用を受ける。
【００８５】
この殺菌作用を受けた空気はダクト４０などを通じて室３に給気される。このような空気循環を行うことにより、室３内の空気中の殺菌作用が継続して行われることになる。なお、オゾン発生器１５からのオゾンは、オゾン分解触媒装置１７の作用により分解・無害化されている。
【００８６】
空調機を運転していないときにも、自動切換弁３１、３２を閉にして、殺菌・脱臭済みの循環空気を送ることができる。
【００８７】
有人時に、室内及び空調機の殺菌・脱臭済み空気を循環させることができるが、空調機へ殺菌・脱臭済み空気を循環させることが必要でない場合には、自動切換弁３１、３２を閉じればよい。
【００８８】
又、抗菌手段として、抗菌シートや塗料を塗った部分へほこりや油煙が付着しているのを、オゾンガスを環流させたり、また単に循環空気を流すことにより取り除く。
【００８９】
このように本発明では、循環空気を必要に応じて、室及び／又は空調機へ殺菌・脱臭のために、または有人の時には、殺菌・脱臭済みの空気を送ることができる。
【００９０】
以上の実施例では、自動切換弁３１、３２や逆止弁３３を設けた場合について説明した。図３で示されるＡの部分を、図４で示すように、いわゆるジェットポンプ形式の吸込の構成としても設けた場合について以下に説明する。
なお、図４の２についても同様であるので説明は略する。
（１）無人時の室内の殺菌・脱臭
（２）無人（又は有人）時の空調機の殺菌・脱臭
（３）無人時の室内及び空調機の殺菌・脱臭
（４）有人時の室内への殺菌・脱臭済み循環空気の吸気
【００９１】
（１）無人時の室内の殺菌・脱臭
空調機１が停止時、自動切換弁３１が閉となって、オゾン含有空気は、そのまま、ダクト４０、４２を通り室３へ導かれ、ダクト４３、４４を通り、空気浄化機２へ環流する。
【００９２】
（２）無人（又は有人）時の空調機の殺菌・脱臭
空調機１が停止時、自動切換弁２８が閉、自動切換弁３１が開となっている為に、オゾン含有空気は、ダクト４１側を通り空調機１へ導かれ、ダクト４４を通り、空気浄化機２へ環流する。
【００９３】
（３）無人時の室内及び空調機の殺菌・脱臭
空調機１が停止時、自動切換弁２８、３１が開となって、オゾン含有空気は、ベンチュリー管５０のダクト４０のノズル４１を通り、ダクト４１より空気を吸引しすると共に、ダクト４２を通り室３へ導かれる。室３から空調機１へ導かれた空気は、空気浄化機２及び送風機９へ向かう。送風機９からダクト４１へ向かう流れは、吸引されて環流する。
室３からの流れは、ダクト４４を通り、空気浄化機２へ環流する。
（４）有人時の室内への殺菌・脱臭済み循環空気の吸気
空調機１が作動時、自動切換弁２８、３１が開となって、オゾン含有空気は、吸引効果により、ダクト４２を通り室３へ導かれ、ダクト４４を通り、空気浄化機２へ環流する。
【００９４】
以上の構成を設けることにより、同様の作用をなす事ができる。
なお、室や空調機の殺菌・脱臭を行えば、それに付随する流路の殺菌・脱臭も行えるのも当然である。
【００９５】
【発明の効果】
空調機に並列に空気浄化機を設け、有人又は無人時に応じて、室、空調機を、各々単独又は双方を殺菌・脱臭のために切り換える切換制御手段とオゾン発生器、オゾン分解触媒装置からなる殺菌・脱臭手段を備えたので、室内、空気調和機、それに伴う流路等の空気の殺菌と脱臭の処理を単独または双方を、必要に応じて選択的に十分に行えるものとなり、有人や無人に対応して、殺菌・脱臭を必要且つ十分に行えるものとなった。
【００９６】
殺菌・脱臭手段として、オゾン発生器、オゾン分解触媒装置を備えたものであるので、オゾンガスの強力な殺菌力だけでなく脱臭効果も十分に期待できる。
【００９７】
従来は、人がいる、即ち有人の場合には、殺菌と脱臭が不可能であったので、その作業時間等は,夜等に著しく制限されていたのが、有人時にも、即応して随時、各室内、空調機、それに伴う流路等の殺菌・脱臭作用を十分に行わせる事ができることとなった。
【００９８】
特に、オゾン分解触媒装置には、その流路に、該流路を開閉する部材を備えているので、その有人時にも殺菌・脱臭が可能となり、無人有人を問わず、殺菌・脱臭ができることとなった。
【００９９】
前記従来技術では、単に空調機の内部や流路内に殺菌手段を設けたもので、室内や空調機を通一過性の為に、空調機自体でもなかなか完全な殺菌処理が出来なかったのが、各単独に集中的に連続して出来ることとなった。
特に、本発明では、確実に集中的に、特に空調機内を殺菌・脱臭が行える。
【０１００】
又、従来は、空調装置の中に滅菌装置を設けた為に、該滅菌装置を修理や交換するときは、空調装置をいちいち停止させねばならず、手間とコストを要しており、その空間的な限度の為に、空気浄化機の規模や能力が制限されていたのが、空気調和機に並列に空気浄化機を配置したので、修理や交換は随時でき、また空気浄化機の能力等も必要に応じて行えるものとなった。
【０１０１】
更に、従来は、空調装置の内部に滅菌装置を設ける構造であったので、その滅菌作用を必要に応じて調節することが不可能であったが、前記のように空気浄化機を別設したので可能となった。
【０１０２】
既存の滅菌装置のない空調機に滅菌装置を付けたい場合には、内蔵方式であったので、その新たに滅菌装置を取付けることは困難であったが、別設したので、これも随時可能となった。
【０１０３】
また、従来使用されてきた紫外線ランプでは、照射部分しか、又は照射の到達範囲内でしか殺菌出来ないために、非照射部分での殺菌が不完全で有ったので、細菌の繁殖が避けられず、滅菌効果が滅殺されたが、オゾンガスは、紫外線の到達できない範囲外でも、充満して殺菌でき、オゾンガスと併用すると一層の作用効果が得られた。
【０１０４】
更に、空調機内に抗菌手段を設ければ、オゾンガスの強力な殺菌力に加えて、更に、オゾンガスの発生非発生時を問わず、常時、殺菌作用が期待できて、オゾンガスと併用すれば、一層強力に細菌を絶滅することが可能となり、オゾンガスのみの使用での殺菌時間を短縮出来ると共にコストも軽減できる。
【０１０５】
オゾンガスに加えて、紫外線ランプ及び光触媒を使用し、前段で通常の紫外線照射をして、紫外線の波長を光触媒の活性酸素を生じさせるものを照射をすれば、次段のオゾンガスのも加えて、滅菌効果を更に一段と上げることが出来る。
【０１０６】
更に、従来、抗菌剤シートでも、長期間使用すると、抗菌剤を含有した塗膜の表面近くでは、ほこり、油煙などが付着したが、オゾンガス又は循環空気を空調機内を環流させるので、ほこり、油煙などが付着することが阻止される。
【図面の簡単な説明】
【図１】本発明の空調装置の実施例を示す。
【図２】本発明の空調装置の切換制御手段として切の弁機構を示す。
【図３】本発明の空調装置の切換制御手段として他の実施例を示す。
【図４】図３のＡ部分の拡大図を示す。
【図５】本発明の有人・無人時の殺菌・脱臭方法を示す。
【符号の説明】
１      空調機
２      空気浄化機
３      室
４      フィルタ
５      プレフィルタ
６      中性能フィルタ
７      電気集塵機
８      熱交換器
９      送風機
１０    加湿器
１１    ドレンパン
１２    ファン
１３    紫外線ランプ
１４    光触媒
１５    オゾン発生器
１６    オゾン給気口
１７    オゾン分解触媒装置
１８    ダンパ
１９    断熱材
２０    エリミネータ
２１    加熱ヒータ
２２    光触媒フィルム
２７    外気取入口
２８    自動切換弁
２９    自動切換弁
３０    自動切換弁
３１    自動切換弁
３２    自動切換弁
３３    逆止弁
３４    流量制御弁
３５    弁
３６    オゾン濃度センサ
３７    ケーシング
４０    ダクト
４１    ダクト
４２    ダクト
４３    ダクト
４４    ダクト
４５    ダクト
４６    ダクト
５０    ベンチュリー管
【図１】
0003769595.tif 000002
【図２】
0003769595.tif 000003
【図３】
0003769595.tif 000004
【図４】
0003769595.tif 000005
【図５】
0003769595.tif 000006